(57)【要約】【課題】入浴者の浴槽への入水を正確に検知することができる熱源機およびそれを備えた風呂装置を提供する。【解決手段】熱源機１００は、浴室２００に設置され、かつ入浴者４０が入浴するための浴槽２０に、湯水を供給可能な熱源機１００であって、循環路８と、ポンプ１０と、水位検知部１１と、入室検知部３３と、制御部１２とを備えている。制御部１２は、ポンプ１０の運転中に、入浴者４０が浴室２００に入室したことを入室検知部３３が検知すると、入室検知部３３の検知信号に基づいてポンプ１０を停止させて、ポンプ１０の停止信号に基づいて水位検知部１１が検知した浴槽２０の湯水２１の水位の判定を開始するように構成されている。【選択図】図１
2015137818.tif 000002
【特許請求の範囲】
【請求項１】
浴室に設置され、かつ入浴者が入浴するための浴槽に、湯水を供給可能な熱源機であって、
前記浴槽に接続された状態で前記浴槽の前記湯水を循環可能な循環路と、
前記循環路に接続されており、前記浴槽および前記循環路に前記湯水を循環するためのポンプと、
前記循環路に接続されており、前記循環路を循環する前記湯水の水圧に基づいて前記浴槽の前記湯水の水位を検知可能な水位検知部と、
前記入浴者が前記浴室に入室したことを検知可能な入室検知部と、
前記ポンプの運転中に、前記入浴者が前記浴室に入室したことを前記入室検知部が検知すると、前記入室検知部の検知信号に基づいて前記ポンプを停止させて、前記ポンプの停止信号に基づいて前記水位検知部が検知した前記浴槽の前記湯水の前記水位の判定を開始するように構成されている制御部とを備えた、熱源機。
【請求項２】
前記水位検知部を駆動させるためのスイッチをさらに備え、
前記入室検知部が前記入浴者が前記浴室に入室したことを検知した場合に前記スイッチはＯＮ状態にされ、前記入室検知部が前記入浴者が前記浴室から退室したことを検知した場合に前記スイッチはＯＦＦ状態にされるように構成されている、請求項１に記載の熱源機。
【請求項３】
請求項１または２に記載の熱源機と、
前記熱源機の前記循環路に取り付けられた風呂装置用浴槽とを備えた、風呂装置。
【発明の詳細な説明】
【技術分野】
【０００１】
本発明は、熱源機に関し、特に、浴室に設置され、かつ入浴者が入浴するための浴槽に、湯水を供給可能な熱源機およびそれを備えた風呂装置に関するものである。
【背景技術】
【０００２】
従来、入浴者の浴槽への入水を検知して設定温度まで湯水の水温を上昇させるように追焚きを行う機能を備えた熱源機がある。この熱源機において、浴槽の湯水を循環可能な循環路に取り付けられた水位センサが浴槽の水位の上昇を検知することによって入浴者の浴槽への入水が検知されている。また、この熱源機では、循環路に取り付けられたポンプによって循環路に浴槽の湯水が循環されて、循環路に取り付けられた温度検知部によって浴槽の湯水の温度が検知されている。
【０００３】
つまり、この熱源機では、湯水の温度測定時にポンプにより循環路に浴槽の湯水が循環される。そして、ポンプの運転中には、循環路内を循環する湯水の圧が変動する。つまり、ポンプの吸引側では湯水の圧に負圧が発生し、ポンプの吐出側では湯水の圧に正圧が発生する。したがって、水位センサがポンプの吸引側に設けられた場合には水位センサは負圧の影響を受け、水位センサがポンプの吐出側に設けられた場合には水位センサは正圧の影響を受ける。このポンプによる圧変動のために、実際には浴槽の湯水の水位が変動していないにもかかわらず、水位センサの検知する水位は変動する。したがって、ポンプの運転中には水位センサは水位を正確に検知することはできない。
【０００４】
特開２００１−３１１５５３号公報（特許文献１）には、浴槽水の浄化運転中に水位変化を正確に検知できるようにし、水位低下を正確に検知して補水を正確に行うことを目的とした風呂装置が提案されている。この風呂装置では、浄化運転中の所要時期に循環ポンプを停止させた状態で水位センサの検知出力に基づいて水位変化を調べる技術が開示されている。
【０００５】
また、特開２０１０−１６９２７１号公報（特許文献２）には、人の浴室への入室を検出する人体検出手段が人体を検出すると、浴槽内の湯水の水位を検出する水位検出手段で検出される水位に基づいて注湯運転または追焚き運転を行う貯湯式給湯機が提案されている。この貯湯式給湯機では、人体検出手段の機能をオンにしている時の自動追焚き機能について、人体検出手段で人体を検出した時に風呂ポンプを駆動して浴槽内の湯温を測ることが開示されている。
【先行技術文献】
【特許文献】
【０００６】
【特許文献１】特開２００１−３１１５５３号公報
【特許文献２】特開２０１０−１６９２７１号公報
【発明の概要】
【発明が解決しようとする課題】
【０００７】
上記の熱源機では、ポンプの運転中には、水位センサは浴槽の水位を正確に検知することができないため、水位センサは入浴者の浴槽への入水による浴槽の水位の上昇を検知することができない。このため、上記の熱源機は入浴者の浴槽への入水を検知できない。
【０００８】
なお、上記特開２００１−３１１５５３号公報には、浄化運転中に水位変化を検知することが開示されているが、入浴者が浴槽に入水したときに浴槽の水位を検知することは開示されていない。このため、入浴者の浴槽への入水を正確に検知することはできない。
【０００９】
また、上記特開２０１０−１６９２７１号公報では、人体検出手段で人体を検出した時に風呂ポンプが駆動するため、入浴者が入浴したときに風呂ポンプは駆動している。このため、風呂ポンプの負圧によって、浴槽の水位を正確に検知することはできない。したがって、入浴者の浴槽への入水を正確に検知することはできない。
【００１０】
本発明は、上記課題を鑑みてなされたものであり、その目的は、入浴者の浴槽への入水を正確に検知することができる熱源機およびそれを備えた風呂装置を提供することである。
【課題を解決するための手段】
【００１１】
本発明の熱源機は、浴室に設置され、かつ入浴者が入浴するための浴槽に、湯水を供給可能な熱源機であって、循環路と、ポンプと、水位検知部と、入室検知部と、制御部とを備えている。循環路は浴槽に接続された状態で浴槽の湯水を循環可能なものである。ポンプは循環路に接続されており、浴槽および循環路に湯水を循環するためのものである。水位検知部は循環路に接続されており、循環路を循環する湯水の水圧に基づいて浴槽の湯水の水位を検知可能なものである。入室検知部は入浴者が浴室に入室したことを検知可能なものである。制御部は、ポンプの運転中に、入浴者が浴室に入室したことを入室検知部が検知すると、入室検知部の検知信号に基づいてポンプを停止させて、ポンプの停止信号に基づいて水位検知部が検知した浴槽の湯水の水位の判定を開始するように構成されている。
【００１２】
本発明の熱源機によれば、制御部は、ポンプの運転中に、入浴者が浴室に入室したことを入室検知部が検知すると、入室検知部の検知信号に基づいてポンプを停止させて、ポンプの停止信号に基づいて水位検知部が検知した浴槽の湯水の水位の判定を開始する。このため、浴槽の水位を正確に検知することができる。よって、入浴者の浴槽への入水による浴槽の湯水の水位の上昇を検知することで、入浴者の浴槽への入水を正確に検知することができる。
【００１３】
上記の熱源機は、水位検知部を駆動させるためのスイッチをさらに備えている。入室検知部が入浴者が浴室に入室したことを検知した場合にスイッチはＯＮ状態にされ、入室検知部が入浴者が浴室から退室したことを検知した場合にスイッチはＯＦＦ状態にされるように構成されている。これにより、入浴者が浴室に入室しているときには水位検知部を駆動させて浴槽の水位を検知しつつ、入浴者が浴室から退室したときには水位検知部を駆動させないようにして水位検知部の消費電力を低減させることができる。また、水位検知部の通電時間を低減させることができるため、水位検知部の通電ドリフトを抑制することができる。
【００１４】
本発明の風呂装置は、熱源機と、熱源機の循環路に取り付けられた風呂装置用浴槽とを備えている。本発明の風呂装置によれば、上記の熱源機を備えているため、入浴者の浴槽への入水を正確に検知することができる熱源機を備えた風呂装置を得ることができる。
【発明の効果】
【００１５】
以上説明したように、本発明によれば、入浴時に浴槽の水位を正確に検知することができる熱源機およびそれを備えた風呂装置を提供することができる。
【図面の簡単な説明】
【００１６】
【図１】本発明の一実施の形態における熱源機を備えた風呂装置の構成を示す概略図である。
【図２】本発明の一実施の形態における熱源機の水位検知部の構成を示す概略断面図である。
【図３】図１に示す制御部の構成を説明するための機能ブロック図である。
【図４】本発明の一実施の形態における熱源機の浴槽の水位の検知動作を示すフローチャートである。
【図５】本発明の一実施の形態における熱源機の追焚き動作を示すフローチャートである。
【図６】本発明の一実施の形態における熱源機の浴槽の水位の検知動作を示すタイムチャートである。
【図７】本発明の一実施の形態における熱源機の浴槽の水位の入浴時の検知動作を示すタイムチャートである。
【発明を実施するための形態】
【００１７】
以下、本発明の実施の形態について図に基づいて説明する。
まず、本発明の一実施の形態における熱源機を備えた風呂装置の構成について説明する。
【００１８】
図１を参照して、本実施の形態の風呂装置３００は、熱源機１００と、風呂装置用浴槽（浴槽）２０とを備えている。風呂装置用浴槽２０は、浴室２００に設置され、かつ入浴者４０が入浴するための浴槽である。本実施の形態の熱源機１００は、浴槽２０に、湯水２１を供給可能なものである。
【００１９】
本実施の形態における熱源機１００は、筺体１と、バーナ２と、送風機３と、熱交換器４と、給水配管５と、給湯配管６と、三方弁７と、循環路８と、温度検知部９と、ポンプ１０と、水位検知部１１と、制御部１２と、二方弁１３と、電気配線１４と、スイッチ１５と、リモコン装置３０と、入室検知部３３とを主に有している。熱交換器４は、給湯側熱交換器４ａと風呂側熱交換器４ｂとを含んでいる。循環路８は、戻り配管８ａと往き配管８ｂとを含んでいる。
【００２０】
筺体１は、筺体１内外に連通するように設けられ、燃焼ガスを排気するための排気口１ａを有している。筺体１は、バーナ２、送風機３、熱交換器４、給水配管５、給湯配管６、三方弁７、温度検知部９、ポンプ１０、水位検知部１１、制御部１２、二方弁１３を収容可能に構成されている。また、筺体１は循環路８の一部を収容可能に構成されている。
【００２１】
バーナ２は、燃焼ガスを供給するためのものである。この燃焼ガスは、給湯側熱交換器４ａおよび風呂側熱交換器４ｂとの間で熱交換を行なうためのものである。バーナ２は、循環路８内の湯水２１を加熱可能に構成されている。バーナ２は熱源機の高さ方向の中央部に配置されている。
【００２２】
送風機３は、バーナ２に燃焼用の空気を供給するためのものである。送風機３は、羽根３ａと、羽根３ａを回転可能なモータ３ｂとを有している。モータ３ｂに電流が印加されることにより羽根３ａは回転するように構成されている。送風機３は、バーナ２よりも下方に配置されている。また、送風機３は熱交換器４よりも下方に配置されている。
【００２３】
熱交換器４は、バーナ２によって供給された燃焼ガスの熱を回収するためのものである。給湯側熱交換器４ａおよび風呂側熱交換器４ｂは、バーナ２よりも上方に配置されている。給湯側熱交換器４ａおよび風呂側熱交換器４ｂは排気口１ａの近傍に配置されている。給湯側熱交換器４ａおよび風呂側熱交換器４ｂはそれぞれ被加熱流体を流通可能な伝熱管と、この伝熱管を収容可能なケースとを有している。
【００２４】
給湯側熱交換器４ａの一方端に給水配管５が接続されており、他方端に給湯配管６が接続されている。給水配管５は、入水口５ａから給湯側熱交換器４ａに被加熱流体である水を給水可能に構成されている。給湯配管６は、給湯側熱交換器４ａから出湯口６ａに給湯側熱交換器４ａで温められた温水を給湯可能に構成されている。これにより、入水口５ａから給水された水は、給湯側熱交換器４ａを通過する際に燃焼ガスによって加熱されて出湯口６ａから給湯される。また、給水配管５と給湯配管６とは三方弁７に接続されている。
【００２５】
循環路８は浴槽２０に接続された状態で浴槽２０の湯水２１を循環可能なものである。風呂側熱交換器４ｂの一方端に戻り配管８ａが接続されており、他方端に往き配管８ｂが接続されている。戻り配管８ａは浴槽２０から風呂側熱交換器４ｂに被加熱流体である湯水２１を供給可能に構成されている。往き配管８ｂは風呂側熱交換器４ｂから浴槽２０に風呂側熱交換器４ｂで温められた湯水２１を供給可能に構成されている。これにより、浴槽２０から風呂側熱交換器４ｂに供給された湯水２１は、風呂側熱交換器４ｂを通過する際に燃焼ガスによって加熱されて再び浴槽２０に供給される。また、戻り配管８ａには、温度検知部９と、ポンプ１０と、水位検知部１１とが接続されている。さらに戻り配管８ａと給湯配管６とは二方弁１３に接続されている。
【００２６】
温度検知部９は循環路８内の湯水２１の温度を検知することによって浴槽２０内の湯水２１の温度を検知するためのものである。温度検知部９は、たとえばサーミスタである。ポンプ１０は、浴槽２０および循環路８に湯水を循環するためのものである。ポンプ１０は、湯水２１を浴槽２０と風呂側熱交換器４ｂとの間で循環させるように構成されている。水位検知部１１は、循環路８を循環する湯水２１の水圧に基づいて浴槽２０の湯水２１の水位を検知可能なものである。水位検知部１１はたとえば圧力センサである。
【００２７】
制御部１２は、バーナ２、温度検知部９、ポンプ１０、水位検知部１１、二方弁１３、電気配線１４、スイッチ１５およびリモコン装置３０に電気的に接続されている。二方弁１３は給湯配管６から湯水２１を戻り配管８ａに供給可能に構成されている。電気配線１４は、電源に電気的に接続されることにより制御部１２に電気を供給可能に構成されている。
【００２８】
スイッチ１５は、水位検知部１１を駆動させるためのものである。後述する入室検知部３３が入浴者４０が浴室２００に入室したことを検知した場合にスイッチ１５はＯＮ状態にされ、入室検知部３３が入浴者４０が浴室２００から退室したことを検知した場合にスイッチ１５はＯＦＦ状態にされるように構成されている。
【００２９】
リモコン装置３０は、熱源機１００を操作するためのものである。リモコン装置３０は、情報を表示するための表示部３１と、操作を行うための操作部３２とを有している。表示部３１は浴槽２０の湯水２１の水位および温度を表示可能に構成されている。操作部３２は浴槽２０の湯水２１の水位および温度を任意に設定可能に構成されている。
【００３０】
リモコン装置３０のケースに入室検知部３３が設けられている。入室検知部３３は入浴者４０が浴室２００に入室したことを検知可能なものである。入室検知部３３は、たとえば赤外線センサである。この赤外線センサでは、周囲の温度状況から温度変化があった場合に入浴者４０が入室したものと検知される。
【００３１】
また、入室検知部３３は、赤外線センサに限定されず、入浴者４０の心拍を検知する心拍センサであってもよい。この心拍センサでは、入浴者４０の心拍を検知した場合に入浴者４０が入室したものと検知される。また、入室検知部３３は、浴室２００内の照度を検出する照度センサであってよい。この照度センサでは、浴室２００の照明の照度を検知した場合に入浴者４０が入室したものと検知される。また、入浴者４０の振動または浴室２００のドアの開閉を検出する衝撃センサであってもよい。この振動センサでは、所定時間の間、衝撃センサからの出力を検出した場合に入浴者４０が入室したものと検知される。
【００３２】
上記では、入室検知部３３がリモコン装置３０のケースに設けられた場合について説明したが、これに限定されず、たとえば浴室２００の天井に設置された浴室暖房機のケースに設けられてもよい。また、入室検知部３３は入室時に入浴者４０が操作するスイッチであってもよい。このスイッチは、たとえば浴室２００の照明のスイッチであってもよい。この場合、浴室２００の照明のスイッチがオンされた場合に入浴者４０が入室したものと検知される。
【００３３】
図１および図２を参照して、水位検知部１１の構成について詳しく説明する。水位検知部１１は、筺体１内の気圧と、浴槽２０の湯水２１の圧力との差圧を検知可能に構成されている。本実施の形態の水位検知部１１は、ケース１１ａと、ダイヤフラム１１ｂとを主に有している。ケース１１ａは図中矢印方向から戻り配管８ａから流入する湯水２１を受け入れ可能な受け入れ口１１ｃと、受け入れ口１１ｃからダイヤフラム１１ｂに通じる貫通孔１１ｄとを有している。ケース１１ａはダイヤフラム１１ｂで仕切られた第１の室Ｓ１と、第２の室Ｓ２とを有している。第１の室Ｓ１の第１の圧力Ｐ１は筺体１内の気圧となる。第２の室Ｓ２の第２の圧力Ｐ２は戻り配管８ａから流入する湯水２１の圧力となる。第１の圧力Ｐ１と第２の圧力Ｐ２の差圧によって浴槽２０の湯水２１の圧力が検出される。ここで浴槽２０の湯水２１の圧力は、浴槽２０の湯水２１の水圧と浴槽２０の気圧との合計の圧力となる。
【００３４】
ダイヤフラム１１ｂは、第１の圧力Ｐ１と第２の圧力Ｐ２との差圧により第１の室Ｓ１側に凸状に変形可能に構成されている。ダイヤフラム１１ｂには、たとえば不純物拡散によりゲージが形成されている。ゲージは、平面視におけるダイヤフラム１１ｂの中心から９０度ずつ回転した位置に４箇所形成されていてもよい。この場合、４個のゲージは同一方向に短冊状に並んで形成されていてもよい。これらの４個のゲージはホイーストンブリッジ回路を構成するように結線されている。このホイーストンブリッジ回路に電圧を印加すると、ダイヤフラム１１ｂの変形により４個のゲージの抵抗が変動するため、電圧値が変動する。したがって、圧力センサは、ダイヤフラム１１ｂの変形に応じた電圧値の変動に基づいて圧力を検知することができる。
【００３５】
図１および図３を参照して、制御部１２の構成についてさらに詳しく説明する。制御部１２は、バーナ２、温度検知部９、ポンプ１０、水位検知部１１、二方弁１３、入室検知部３３に電気的に接続されている。制御部１２は、ポンプ１０の運転中に、入浴者４０が浴室２００に入室したことを入室検知部３３が検知すると、入室検知部３３の検知信号に基づいてポンプ１０を停止させて、ポンプ１０の停止信号に基づいて水位検知部１１が検知した浴槽２０の湯水２１の水位の判定を開始するように構成されている。
【００３６】
制御部１２は、制御手段１２ａと、水位判定手段１２ｂと、入室判定手段１２ｃと、温度判定手段１２ｄとを主に有している。制御手段１２ａは、水位判定手段１２ｂと、入室判定手段１２ｃと、温度判定手段１２ｄからの信号に基づいて、バーナ２、ポンプ１０、二方弁１３の動作を制御可能に構成されている。
【００３７】
水位判定手段１２ｂは、水位検知部１１で検知された浴槽２０の水位を判定するためのものである。入室判定手段１２ｃは、入室検知部３３で検知された入浴者４０の浴室２００への入室および浴室２００からの退室を判定するためのものである。温度判定手段１２ｄは、温度検知部９で検知された戻り配管８ａを流れる湯水２１の温度に基づいて浴槽２０の湯水２１の温度を判定するためのものである。
【００３８】
制御手段１２ａはポンプ１０を運転または停止するように制御可能に構成されている。制御手段１２ａは、入室検知部３３の入浴者４０の浴室２００への入室を検知したことを示す検知信号に基づいて、入室判定手段１２ｃに入室を判定させるように制御可能に構成されている。制御手段１２ａは入室検知部３３の検知信号に基づいてポンプ１０を停止させるように制御可能に構成されている。また、制御手段１２ａは、ポンプ１０が停止したことを示す停止信号に基づいて、水位検知部１１が検知した浴槽２０の湯水２１の水位を水位判定手段１２ｂによって判定させることを開始するように制御可能に構成されている。
【００３９】
また、制御手段１２ａは、水位検知部１１で検知される浴槽２０の湯水２１の水位が設定水位になるように二方弁１３を動作させて給湯配管６から湯水２１を浴槽２０に供給するように構成されている。また、制御手段１２ａは、温度検知部９で検知される浴槽２０の湯水２１の温度が設定温度になるようにバーナ２を動作させて湯水２１を加熱するように構成されている。
【００４０】
次に、再び図１を参照して、本実施の形態における熱源機の基本動作について説明する。本実施の形態の熱源機の給湯運転においては、リモコン装置３０、カラン等が操作されて、出湯要求があれば、バーナ２で生成された燃焼ガスで熱交換器４が加熱される。これにより、熱交換器４の伝熱管を流通する水が加熱され、所望の温度の湯がカラン等から出湯される。また、自動的に追焚きを行う場合においては、制御部１２によって浴槽２０の湯水２１の水位および温度が設定した値に保持される。
【００４１】
次に、図１、図４および図５を参照して、本実施の形態における熱源機での水位検知動作を含む追焚き動作について説明する。
【００４２】
図４に示すように、温度検知部９によって浴槽２０の温度を測定するためにポンプ１０が運転中か否かが制御手段１２ａによって判定される（ステップＳ１０）。ここでポンプ１０が運転中でないと制御手段１２ａによって判定された場合には、再びポンプ１０が運転中か否かが制御手段１２ａによって判定される。
【００４３】
一方、ポンプ１０が運転中と制御手段１２ａによって判定された場合には、入室検知部３３によって入浴者４０が浴室２００に入室したことが検知されたか否かが入室判定手段１２ｃによって判定される（ステップＳ２０）。ここで入浴者４０が浴室２００に入室したことが入室判定手段１２ｃによって判定されない場合には、再び入浴者４０が浴室２００に入室したことが検知されたか否かが入室判定手段１２ｃによって判定される。
【００４４】
一方、入浴者４０が浴室２００に入室したことが入室判定手段１２ｃによって判定された場合には、制御手段１２ａによってポンプ１０が停止される（ステップＳ３０）。その後、ポンプ１０が停止したことを示す停止信号に基づいて、水位判定手段１２ｂによって水位検知部１１が検知した浴槽２０の湯水２１の水位の判定が開始される（ステップＳ４０）。なお、水位検知部１１によって浴槽２０の湯水２１の水位は常に検知される。
【００４５】
続いて、図５に示すように、制御手段１２ａによって入浴者４０が入浴したか否かが判定される（ステップＳ５０）。具体的には、水位検知部１１によって検知された水位が水位判定手段１２ｂによって判定され、水位判定手段１２ｂによって判定された水位が上昇しているか否かによって制御手段１２ａによって入浴者４０が浴槽２０に入水したか否かが判定される。ここで制御手段１２ａによって入浴者４０が入浴していないと判定された場合には、再び制御手段１２ａによって入浴者４０が入浴したか否かが判定される。
【００４６】
一方、制御手段１２ａによって入浴者４０が入浴したと判定された場合には、浴槽２０の湯水２１の水位および温度が設定した値となるように制御手段１２ａによって二方弁１３およびバーナ２が動作されて追焚きが実行される（ステップＳ６０）。人が冷えた体で入浴するときには、湯水２１の温度は設定よりも低い方が湯水２１の熱さを感じにくいため、入浴者４０が浴槽２０に入水した後に追焚きすることが好ましい。本実施の形態では、入浴者４０が浴槽２０に入水したことを検知した後に追焚きを実行するため入浴者４０の入浴時の快適性を向上することができる。
【００４７】
次に、本実施の形態における熱源機の水位検知動作を時間経過との関係において説明する。
【００４８】
図１および図６を参照して、本実施の形態の熱源機では、ポンプ１０の運転中には、制御部１２は浴槽２０の水位を判定しない。この理由は、浴槽２０の水位が正確に検知されないためである。浴槽２０の湯水２１を測定するために、ポンプ１０は所定時間毎に一定時間運転される。たとえば、ポンプ１０は２０分間に１度ずつ、１回につき１分間運転される。
【００４９】
図１および図７を参照して、ポンプ１０の運転中に入浴者４０の浴室２００への入室が検知されると、ポンプ１０の運転が停止される。そして、この状態で、浴槽２０の水位が検知される。入浴者４０が浴槽２０に入水すると浴槽２０の水位が上昇するため、入浴者４０が浴槽２０に入水したことが正確に検知される。
【００５０】
次に、本実施の形態の作用効果について説明する。
本実施の形態の熱源機１００によれば、制御部１２は、ポンプ１０の運転中に、入浴者４０が浴室２００に入室したことを入室検知部３３が検知すると、入室検知部３３の検知信号に基づいてポンプ１０を停止させて、ポンプ１０の停止信号に基づいて水位検知部１１が検知した浴槽２０の湯水２１の水位の判定を開始する。このため、浴槽２０の水位を正確に検知することができる。よって、入浴者４０の浴槽２０への入水による浴槽２０の湯水２１の水位の上昇を検知することで、入浴者４０の浴槽２０への入水を検知することができる。
【００５１】
本実施の形態の熱源機１００では、入室検知部３３が入浴者４０が浴室２００に入室したことを検知した場合にスイッチ１５はＯＮ状態にされ、入室検知部３３が入浴者４０が浴室２００から退室したことを検知した場合にスイッチ１５はＯＦＦ状態にされるように構成されている。これにより、入浴者４０が浴室２００に入室しているときには水位検知部１１を駆動させて浴槽２０の水位を検知しつつ、入浴者４０が浴室２００から退室したときには水位検知部１１を駆動させないようにして水位検知部１１の消費電力を低減させることができる。また、水位検知部１１の通電時間を低減させることができるため、水位検知部１１の通電ドリフトを抑制することができる。圧力センサは通電状態が長時間（たとえば１００時間）継続すると通電ドリフトが発生するため水位入力レベルが低下する。このため、実際の水位と圧力センサの検知値にずれが生じる。本実施の形態では通電ドリフトを抑制することができるため実際の水位と圧力センサの検知値とのずれを抑制することができる。
【００５２】
本実施の形態の風呂装置３００によれば、上記の熱源機１００を備えているため、入浴時に浴槽２０の水位を正確に検知することができる。
【００５３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５４】
１  筺体、１ａ  排気口、２  バーナ、３  送風機、３ａ  羽根、３ｂ  モータ、４  熱交換器、４ａ  給湯側熱交換器、４ｂ  風呂側熱交換器、５  給水配管、５ａ  入水口、６  給湯配管、６ａ  出湯口、７  三方弁、８  循環路、８ａ  戻り配管、８ｂ  往き配管、９  温度検知部、１０  ポンプ、１１  水位検知部、１１ａ  ケース、１１ｂ  ダイヤフラム、１１ｃ  受け入れ口、１１ｄ  貫通孔、１２  制御部、１２ａ  制御手段、１２ｂ  水位判定手段、１２ｃ  入室判定手段、１２ｄ  温度判定手段、１３  二方弁、１４  電気配線、１５  スイッチ、２０  風呂装置用浴槽（浴槽）、２１  湯水、３０  リモコン装置、３１  表示部、３２  操作部、３３  入室検知部、４０  入浴者、１００  熱源機、２００  浴室、３００  風呂装置。
【図１】
2015137818.tif 000003
【図２】
2015137818.tif 000004
【図３】
2015137818.tif 000005
【図４】
2015137818.tif 000006
【図５】
2015137818.tif 000007
【図６】
2015137818.tif 000008
【図７】
2015137818.tif 000009